【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
（ａ）手持ち式の本体と、
（ｂ）前記本体から遠位に延在する針と、
（ｃ）前記針に対して長手方向に平行移動が可能なカッターチューブであって、前記カッターチューブがカッター内腔を画定する、前記カッターチューブと、
（ｄ）前記本体に連結された組織試料ホルダであって、前記カッターチューブの前記カッター内腔が、前記組織試料ホルダと連絡している、前記組織試料ホルダと、
（ｅ）前記本体内に収容され、前記カッターチューブの遠位端と前記組織試料ホルダとの間に配置された試料停止アセンブリであって、前記試料停止アセンブリが、ゲートと、前記ゲートの遠位に配置された透明な検査窓と、を含み、前記ゲートが、前記カッターチューブを通って輸送されている組織試料を前記検査窓内での検査のために停止させ、前記組織試料ホルダに適用された真空により前記停止させた組織試料の前記組織試料ホルダへ向けての移動を可能にするように構成されている、前記試料停止アセンブリと
を備える生検装置であって、
前記ゲートは、前記ゲートの対応する平行移動を駆動する前記カッターチューブの平行移動に応じて、閉位置から開位置に移行するように前記本体に対して移動するように構成されている、前記生検装置。
【請求項２】
前記検査窓は、ユーザが、前記停止させた組織試料を目視検査するのを可能にするように構成され、前記試料停止アセンブリが、前記ゲートに付随したゲートシールを更に含む、請求項１に記載の生検装置。
【請求項３】
前記検査窓及び前記ゲートシールが両方ともに、前記ゲートを前記閉位置から前記開位置に移行させるように前記本体に対して移動可能であり、前記ゲートシールは、前記ゲートが前記閉位置にあるときに前記組織試料を停止させるように構成され、前記ゲートシールは、前記ゲートが前記開位置にあるときに、前記組織試料ホルダに適用された前記真空により前記停止させた組織試料の前記組織試料ホルダへ向けての移動を可能にするように更に構成されている、請求項２に記載の生検装置。
【請求項４】
前記ゲートシールが複数の真空開口を含み、前記検査窓が複数の真空経路を有する検査部材に付随し、前記ゲートシールの前記真空開口が前記検査部材の前記真空経路と流体連通するように、前記ゲートシールが前記検査部材に対して配置されている、請求項２に記載の生検装置。
【請求項５】
前記検査部材の前記真空経路が、前記ゲートシールの前記真空開口と共に、前記停止させた組織試料が前記ゲートシールに隣接しているときに前記ゲートシールを通る流体の流れを促進するように構成されている、請求項４に記載の生検装置。
【請求項６】
前記ゲートシールが可撓性を有する、請求項２に記載の生検装置。
【請求項７】
カッター作動アセンブリを更に含み、前記カッター作動アセンブリが、前記カッターチューブの移動を駆動するよう機能し、前記カッター作動アセンブリがカッター駆動部材を含み、前記カッター駆動部材の少なくとも一部分が、前記ゲートシールを、前記試料停止アセンブリの前記検査窓に固定するように構成されている、請求項２に記載の生検装置。
【請求項８】
前記検査窓が内腔を含み、前記カッター駆動部材が内腔を含み、前記検査窓の前記内腔と前記カッター駆動部材の前記内腔とが両方ともに、前記カッターチューブと前記組織試料ホルダとの間に延在する流体導管の少なくとも一部分を画定する、請求項７に記載の生検装置。
【請求項９】
前記ゲートシールが、開放構成と閉鎖構成との間を移行するように構成され、前記ゲートシールが複数の開口を含み、前記複数の開口の各開口が、前記ゲートシールが前記開放構成及び前記閉鎖構成のいずれにあるときも、前記ゲートシールを通る流体の連通を可能にするように構成されている、請求項２に記載の生検装置。
【請求項１０】
前記生検装置が、前記組織試料ホルダから遠位に延在する輸送管を更に含み、前記輸送管が、前記ゲートを前記閉位置から前記開位置に移行させるように構成され、前記ゲートシールは、前記ゲートが前記閉位置にあるときに前記組織試料を停止させるように構成され、前記ゲートシールは、前記ゲートが前記開位置にあるときに、前記組織試料ホルダに適用された前記真空により前記停止させた組織試料の前記組織試料ホルダへ向けての移動を可能にするように更に構成されている、請求項２に記載の生検装置。
【請求項１１】
前記ゲートシールは、前記カッターチューブが遠位に平行移動するのに応じて、前記ゲートシールを閉位置に移行させるために、前記本体に対して移動するように構成され、前記ゲートシールは、前記カッターチューブが近位に平行移動するのに応じて、開位置に移行するために、前記本体に対して移動するように更に構成されている、請求項２に記載の生検装置。
【請求項１２】
前記ゲートシールが、試料開口を含み、前記試料開口を閉位置と開位置との間で移行させるために、前記本体に対して移動するように構成されている、請求項２に記載の生検装置。
【請求項１３】
前記ゲートシールが、試料スリットを含み、前記試料スリットを閉位置と開位置との間で移行させるために、前記本体に対して移動するように構成されている、請求項２に記載の生検装置。
【請求項１４】
前記試料停止アセンブリが、前記検査窓を画定する試料検査部材を含み、前記試料検査部材が、前記試料検査部材内の組織試料の存在を検出するためのセンサを含む、請求項１に記載の生検装置。
【請求項１５】
コントローラと、前記組織試料ホルダに前記真空を適用するように構成された、前記コントローラと通信する真空源と、を更に含み、前記センサが前記コントローラと通信し、前記コントローラが、前記センサによる組織試料の存在の検出に応答して、前記真空源によって前記組織試料ホルダに適用される真空を減らすように構成されている、請求項１４に記載の生検装置。
【請求項１６】
前記センサがインピーダンスセンサを含み、前記コントローラが、前記インピーダンスセンサからの信号に基づいて、組織試料の特性を識別するように構成されている、請求項１５に記載の生検装置。
【請求項１７】
前記試料検査部材がアクセス窓を含み、前記アクセス窓が、前記試料検査部材からの組織試料の採取を可能にするために、開放構成と閉鎖構成との間を移動するように構成されている、請求項１４に記載の生検装置。
【請求項１８】
前記検査窓が前記カッターチューブに接続され、前記検査窓が前記カッターチューブと共に回転及び平行移動するように構成されている、請求項１に記載の生検装置。
【請求項１９】
（ａ）本体と、
（ｂ）前記本体から遠位に延在する針と、
（ｃ）前記針に対して長手方向に平行移動が可能なカッターであって、前記カッターがカッター内腔を画定する、前記カッターと、
（ｄ）前記本体に連結された組織試料ホルダであって、前記カッターの前記カッター内腔が、前記組織試料ホルダと連絡している、前記組織試料ホルダと、
（ｅ）前記組織試料ホルダから遠位に延在し、前記組織試料ホルダと流体連通している輸送管と、
（ｆ）前記本体内に配置され、組織試料を停止させるのに十分小さい開口を備えたゲートシールを有する試料停止アセンブリであって、前記輸送管の遠位端が、前記本体に移動不能に固定され、前記輸送管が、前記ゲートシールの前記開口を貫通して、前記開口を拡大し、前記停止させた組織試料を前記組織試料ホルダに輸送することを可能にするように構成されている、前記試料停止アセンブリと、
を備える生検装置。
【請求項２０】
前記ゲートシールがエラストマであり、
前記ゲートシールは、前記試料停止アセンブリの前記輸送管へ向けての近位移動により、前記輸送管の前記遠位端が前記エラストマのゲートシールの開口を貫通及び拡大することができるように、構成されている、請求項１９に記載の生検装置。